(57)【特許請求の範囲】
【請求項１】
前後方向に並んで配置された複数の扉が左右方向にスライド移動して開口を開閉し、該開口の開放時に該複数の扉が前後方向に重なり合う一方、上記開口の閉鎖時に最も後側の扉が戸先側に位置すると共に最も前側の扉が戸尻側に位置する引戸であって、
上記最も後側の扉の戸先側端部には、前方に開放されて指が引っ掛けられる引っ掛け凹部を形成する引手が設けられ、
上記引手は、上記最も後側の扉の後面に固定されて該扉の戸先側端から戸先側に突出する固定部と、該固定部の先端から前方に延び、指が引っ掛けられる引っ掛け部とを備えた断面略Ｌ字状に形成され、これら固定部及び引っ掛け部と、上記最も後側の扉の戸先側端面とによって上記引っ掛け凹部が形成されており、
上記前側に隣接する扉の後面における戸先側角部には、当該後面の他の部分よりも前方に窪む切欠きが形成され、
上記引手の引っ掛け部は、上記開口の開放時に、上記切欠きとの間に指を差し込むスペースが形成されるように該切欠きにおける戸先側端部の後側位置に設けられて、その前側に隣接する扉の戸先側端面と面一となっていることを特徴とする引戸。
【請求項２】
請求項１に記載の引戸において、
上記切欠きは、上記前側に隣接する扉の戸先側の後側角部が断面直線状若しくは断面円弧状に面取りされた面取り部、または、上記前側に隣接する扉の後面の戸先側端部を段差状に切り欠いた段差部によって構成されていることを特徴とする引戸。
【発明の詳細な説明】
【技術分野】
【０００１】
本発明は、引戸に関し、特に、複数の扉からなる引戸の開口開放時において引手に掛けた指が引手とそれに隣接する扉とによって挟まれるのを防止する技術に関する。
【背景技術】
【０００２】
特許文献１には、扉の戸先側の木口面まで開放された引手が設けられ、戸先側から引手を掴むことができる引戸が開示されている。しかしながら、この引戸では、専用の引手や加工を施さなければならず、また、引手が比較的大きいため、見映えが良くない。
【０００３】
特許文献１と同様な効果を奏するものとして、特許文献２には、戸袋に収容される引戸であって、戸袋の開口枠に指を挿入することができる隙間が設けられ、扉の戸先側端部に該扉の前後両面に開口する凹状の引手が設けられている構成が開示されている。
【先行技術文献】
【特許文献】
【０００４】
【特許文献１】特開平１１−０６２３３２号公報
【特許文献２】特開２０１３−０４４１３１号公報
【発明の概要】
【発明が解決しようとする課題】
【０００５】
しかしながら、特許文献２の引戸は、開口枠が必要であり、引き込み戸や片引戸に限定される。また、特許文献２の引戸が前後に並ぶ複数の扉で構成されている場合、引手に指を掛けた状態で引戸を開くと、隣接する扉の角部と引手とによって指が挟まれる虞がある。
【０００６】
そこで、前後方向一方側の扉の戸先側端部を開口開放時に開口に突出させることにより、指挟みを防ぐことが可能である。しかしながら、そうすると、開口の開放時における開口の有効な面積が戸先側端部の突出分だけ狭くなるという問題がある。
【０００７】
本発明は、かかる点に鑑みてなされたものであり、その目的とするところは、複数の扉からなる引戸の開放時において、有効な開口面積を確保しつつ、引手に掛けた指が引手と隣接する扉とによって挟まれるのを防止することにある。
【課題を解決するための手段】
【０００８】
上記の目的を達成するために、本発明は、前後に並ぶ複数の扉のうち最も後側の扉の戸先側端に引手を設けると共に、この扉の前側の扉における引手と対向する部位に指を差し入れるスペースを設けたものである。
【０００９】
具体的には、本発明は、前後方向に並んで配置された複数の扉が左右方向にスライド移動して開口を開閉し、該開口の開放時に該複数の扉が前後方向に重なり合う一方、上記開口の閉鎖時に最も後側の扉が戸先側に位置すると共に最も前側の扉が戸尻側に位置する引戸を対象とし、次のような解決手段を講じた。
【００１０】
すなわち、第１の発明は、上記最も後側の扉の戸先側端部には、前方に開放されて指が引っ掛けられる引っ掛け凹部を形成する引手が設けられ、この引手は、上記最も後側の扉の後面に固定されて該扉の戸先側端から戸先側に突出する固定部と、この固定部の先端から前方に延び、指が引っ掛けられる引っ掛け部とを備えた断面略Ｌ字状に形成され、これら固定部及び引っ掛け部と、上記最も後側の扉の戸先側端面とによって上記引っ掛け凹部が形成されている。そして、上記前側に隣接する扉の後面における戸先側角部には、当該後面の他の部分よりも前方に窪む切欠きが形成され、引手の引っ掛け部は、上記開口の開放時に、上記切欠きとの間に指を差し込むスペースが形成されるように該切欠きにおける戸先側端部の後側位置に設けられて、その前側に隣接する扉の戸先側端面と面一となっていることを特徴とする。
【００１１】
第１の発明によれば、引手の引っ掛け部が開口の開放時にその前側に隣接する扉の戸先側端面と面一となり、引手が開口に突出しないので、有効な開口面積を大に確保することができる。
【００１２】
また、第１の発明によれば、引手が最も後側の扉の戸先側端と共に、前方に開放された引っ掛け凹部を形成し、さらに、その前側に隣接する扉の戸先側角部に前方に窪む切欠きが形成されている。したがって、開口の開放時に引っ掛け凹部の前側には、切欠きによって指を差し込むスペースが確保される。そのため、開口の閉鎖時に引っ掛け凹部に前側から指を掛けて最も後側の扉を戸尻側に移動させて開口を開放し、開放しきった時に引っ掛け凹部に差し込んだ指が切欠きを通るようになる。よって、引手に掛けた指が引手とその前側に隣接する扉とによって挟まれるのを防止することができる。
【００１３】
さらに、第１の発明によれば、引手として断面略Ｌ字状の部材を最も後側の扉に取り付けることによって簡単に引っ掛け凹部を設けることができる。
【００１４】
第２の発明は、第１の発明において、上記切欠きは、上記前側に隣接する扉の戸先側の後側角部が断面直線状若しくは断面円弧状に面取りされた面取り部、または、上記前側に隣接する扉の後面の戸先側端部を段差状に切り欠いた段差部によって構成されていることを特徴とする。
【００１５】
第２の発明によれば、引手の前側の扉の角部を面取り若しくはＲ状にし、または、段差を設けることにより、簡単に切欠きを形成することができる。
【発明の効果】
【００１６】
以上、本発明によれば、引戸の有効な開口面積を確保しつつ、引手に掛けた指が引手と隣接する扉とによって挟まれるのを防止することができるとともに、簡単に引っ掛け凹部を設けることができる。
【図面の簡単な説明】
【００１７】
【図１】本発明の実施形態に係る引戸の正面図である。
【図２】開口開放時における引戸の側面図である。
【図３】開口開放時における引戸の平面図である。
【図４】図３のIV部拡大図である。
【図５】本発明の実施形態の変形例に係る引戸の図４のV部に相当する部分を拡大した図であって、（ａ）は変形例１を示す図であり、（ｂ）は変形例２を示す図である。
【発明を実施するための形態】
【００１８】
以下、本発明の実施形態を図面に基づいて説明する。尚、以下の好ましい実施形態の説明は本質的に例示に過ぎず、本発明、その適用物或いはその用途を制限することを意図するものではない。
【００１９】
図１は、本発明の実施形態に係る引戸１の正面図である。図２は、該引戸１の側面図である。以下では、説明の便宜上、図１の右側及び左側をそれぞれ右側及び左側とし、引戸１の厚さ方向を前後方向とする。
【００２０】
上記引戸１は、前側から順に３枚の扉３，５，７を備え、これら扉３，５，７が連動するタイプのものであって、屋内空間を仕切る壁（図示せず）に設けられた矩形状の開口９に設置される。開口９には、戸枠１１が設置されており、この戸枠１１に３枚の扉３，５，７が左右方向に走行可能に取付支持されている。引戸１は、扉３，５，７が開口９の右側部において前後に重なり合った状態で開口９を開放する一方、この開口９開放状態から後側の扉７及び中央の扉５が左側に寄せられて扉３，５，７がそれぞれ開口９の右側部、中央部及び左側部に位置する状態で開口９を閉鎖する。したがって、左側が戸先側であり、右側が戸尻側である。図１は、開口９の閉鎖状態を示し、図２は、開口９の開放状態を示している。なお、図２では、扉３，５，７の下端部を断面で示している。
【００２１】
上記戸枠１１は、開口９左右両端に設置される一対の縦枠１３と、天井面１５に固定され、該一対の縦枠１３の上端同士を繋ぐ上枠１７とを備えた三方枠である。上枠１７には、３本の上部レール１９が固定されている。図２に示すように、上枠１７には、下方に開口して左右方向に延びる凹部２１が形成されており、該凹部２１の底面に上部レール１９が前後方向に並んで固定されている。上部レール１９には吊車２３が左右方向に走行可能に取り付けられている一方、扉３，５，７の上端には吊戸連動具２５が取り付けられており、吊戸連動時に該吊戸連動具２５が吊車２３と連結されている。
【００２２】
中央の扉５の下端面にはガイド部材２７が取り付けられている一方、その下方の床面２９にはガイドレール３１が設置されており、ガイド部材２７の先端がガイドレール３１の溝に摺動可能に嵌合している。また、この中央の扉５の前面５ａ及び後面５ｂの下端部には、それぞれＪ字状のガイドブラケット３３が取り付けられている。
【００２３】
一方、前後両側の扉３，７の下端面には、それぞれ溝３５が設けられ、この溝３５の左右方向両端が塞がれている。上記ガイドブラケット３３は、先端部が前後方向外側を向くように取り付けられ、前後両側の扉３，７を支持するとともに、該先端部が溝３５に摺動可能に嵌合している。
【００２４】
図３は、開口９開放時における引戸１の平面図である。なお、図３では、吊戸連動具２５及びガイドブラケット３３を省略している。また、図４は、図３のIV部拡大図である。
【００２５】
図３及び図４に示すように、前後両側の扉３，７は、互いに同一の左右幅を有し、この左右幅は中央の扉５よりも小さい。そして、前側の扉３の戸尻側端（右側端）及び後側の扉７の戸先側端（左側端）には、それぞれ上下方向に延びる長尺の引手３７が取り付けられている。
【００２６】
引手３７は、例えばアルミ材または樹脂材からなり、扉３，７と同じ上下寸法を有している。この引手３７は、断面Ｆ字状（断面略Ｌ字状）をなし、各扉３，７の後面３ｂ，７ｂに固定される固定部３７ａと、指が掛けられる引っ掛け部３７ｂと、引手３７を位置決する位置決め部３７ｃと、を有している。
【００２７】
上記固定部３７ａは、上下方向に細長い矩形板状をなし、扉３，７と中央の扉５との左右幅の差分よりも大きな左右幅を有している。そして、固定部３７ａは、その左右方向内側端部が各扉３，７の後面３ｂ，７ｂに固定され、左右方向外側に突出している。この突出寸法は、扉３，７と中央の扉５との左右幅の差分と一致する。
【００２８】
上記引っ掛け部３７ｂは、上下方向に細長い矩形板状をなし、固定部３７ａの突出端から前方に延びている。したがって、この引っ掛け部３７ｂ、上記固定部３７ａの突出部分及び各扉３，７の引手３７が取り付けられた側の端面３ｃ，７ｃによって前方に開放された引っ掛け凹部３９が形成される。この引っ掛け部３７ｂは、各扉３，７の厚みの約半分の前後幅を有し、例えば、扉３，７の厚みが約３６ｍｍの場合に約２０ｍｍの前後幅を有している。なお、この前後幅は扉３，７の厚み以下であればよい。また、引っ掛け部３７ｂは、断面三角形状をなし、左右方向外側端面が前後方向に沿う一方、左右方向内側端面が前方に向かって左右方向内側に傾斜している。このように傾斜しているため、指先を引っ掛け易くなっている。
【００２９】
上記位置決め部３７ｃは、固定部３７ａから前方に突出している。この位置決め部３７ｃは、図示しない戸車を回避するために各扉３，７の厚みよりも小さな前後幅を有し、各扉３，７の引手３７が取り付けられた側の端面３ｃ，７ｃに当接している。位置決め部３７ｃと引っ掛け部３７ｂとの間隔は、扉３，７と中央の扉５との左右幅の差分に一致している。
【００３０】
したがって、引手３７を各扉３，７に取り付ける際には、引っ掛け部３７ｂを各扉３，７の左右方向外側に配置した状態で、固定部３７ａの左右方向内側端部を各扉３，７の後面３ｂ，７ｂに当て、引手３７を扉３，７側に寄せて位置決め部３７ｃを各扉３，７の端面３ｃ，７ｃに当てる。そして、その状態で固定部３７ａを扉３，７にビス止め等により固定する。これにより、引手３７が取り付けられた扉３，７の左右幅が中央の扉５の左右幅と一致する。よって、開口９の開放時に、扉３，７が開口側に突出しない。
【００３１】
また、中央の扉５の戸先側端部（左側端部）後側の角部は、断面直線状に面取りされていて、扉５の後面５ｂの他の部分よりも前方に窪む切欠き４１ｃが形成されている。したがって、図３に示すように開口９の開放時にこの切欠き４１ｃが後側の扉７の引手３７前方に位置し、引手３７の引っ掛け部３７ｂと切欠き４１ｃとの間に指を差し込むスペースＳが形成される。よって、開口９の開放時に引手３７の引っ掛け部３７ｂと中央の扉５とによって指を挟むことを回避することができる。また、上記切欠き４１ｃが形成されているため、指を引っ掛け凹部３９に差し込む際に、この切欠き４１ｃに手の甲が接することにより、手がスムーズに引手３７に案内される。
【００３２】
上記構成を具備する引戸１は、その開放時に、図３及び図４に示すように、すべての扉３，５，７が開口部９の右側部に位置して、前後方向に重なり合うように配置されている。このとき、それぞれ引手３７が取り付けられた前側の扉３及び後側の扉７の左右幅が中央の扉５の左右幅と一致するため、扉３，７が中央の扉５の戸先側端よりも戸先側に突出せず、開口部９の有効な開口面積を確保することができる。
【００３３】
そして、このように開放された開口９を閉鎖するときには、先ず、後側の扉７の引っ掛け凹部３９に前方から指を差し込む。このとき、引っ掛け部３７ｂと中央の扉５との間にスペースＳが形成されているため、安全に指を差し込むことができる。次いで、この引手３７を左方に引っ張って、扉７を移動させる。そして、中央の扉５の後面５ｂに取り付けられたガイドブラケット３３の先端部が、後側の扉７の溝３５における右側の閉塞端に当接すると、中央の扉５が後側の扉７に連動して左方にスライド移動し、開口９が閉鎖される。
【００３４】
一方、開口９を閉鎖状態から開放するときには、後側の扉７の引っ掛け凹部３９に前方から指を差し込み、この扉７を右方にスライド移動させる。そして、中央の扉５の後面に取り付けられたガイドブラケット３３の先端部が、後側の扉７の溝３５における左側の閉塞端に当接すると、中央の扉５が後側の扉７に連動して右方にスライド移動し、開口９が開放される。ここで、開口９が開放しきった際に、引っ掛け凹部３９に差し込まれた指は引っ掛け部３７ｂに掛けられた状態となっているが、この引っ掛け部３７ｂとその前側の中央の扉５との間にスペースＳが確保されるので、上述の如く引っ掛け部３７ｂと中央の扉５とによって指が挟まれることを回避することができる。
【００３５】
−発明の実施形態の効果−
上記実施形態によれば、引手３７が開口９の開放時にその前側に隣接する中央の扉５の戸先側端面と面一となり、引手３７が開口９に突出しないので、有効な開口面積を大に確保することができる。
【００３６】
さらに、上記実施形態によれば、引手３７が後側の扉７の戸先側端と共に前方に開放された引っ掛け凹部３９を有し、さらに、その前側に隣接する中央の扉５の戸先側端部に前方に窪む切欠き４１ｃが形成されている。したがって、開口９の開放時に引っ掛け凹部３９の前側には、切欠き４１ｃによって指を差し込むスペースＳが確保される。そのため、開口９の閉鎖時に引っ掛け凹部３９に前側から指を掛けて後側の扉７を戸尻側に移動させて、開口９を開放し、開放しきった時に引っ掛け凹部３９に入れた指が切欠き４１ｃを通るようになる。よって、引手３７に掛けた指が引手３７とその前側に隣接する中央の扉５とによって挟まれるのを防止することができる。
【００３７】
また、上記実施形態によれば、固定部３７ａと引っ掛け部３７ｂとからなる断面Ｌ字状の引手３７を後側の扉７に取り付けることによって簡単に引っ掛け凹部３９を設けることができる。
【００３８】
（発明の実施形態の変形例１）
図５（ａ）は、上記実施形態の変形例１に係る引戸１の図４のV部に相当する部分を拡大した図である。この変形例では、中央の扉５に設けられる切欠き４１ｃが左後側の角部を断面円弧状にすることによって構成されている。このように中央の扉５の左後側の角部を円弧状にすることにより、簡単に切欠き４１ｃを形成することができる。また、上記角部が断面円弧状をなしているので、指が当該角部に接触しても、ソフトな感触が得られる。
【００３９】
（発明の実施形態の変形例２）
図５（ｂ）は、上記実施形態の変形例２に係る引戸１の図４のV部に相当する部分を拡大した図である。この変形例では、中央の扉５に設けられる切欠き４１ｃが左後側の角部を段差状に切り欠くことによって構成されている。このように中央の扉５の左後側の角部に段差部を形成することにより、簡単に切欠き４１ｃを形成することができる。
【００４０】
（その他の実施形態）
上記実施形態では、引戸１が３枚の扉３，５，７を具備しているが、これに限定されず、２枚又は４枚以上の扉を具備していてもよい。
【００４１】
また、上記実施形態では、３枚の扉３，５，７が連動するタイプの引戸１を例示しているが、これに限定されず、非連動タイプのものであってもよい。
【００４２】
また、上記実施形態では、引手３７が後側の扉３の戸先側端部及び前側の扉７の戸尻側端部の上下方向全体に亘って設けられているが、これに限定されず、これら端部の上下方向の一部のみに取り付けられていてもよい。その場合に、例えば床面２９から高さ８０ｃｍ〜１２０ｃｍの範囲に設けられていると、使用者が引手３７に手を掛け易くなる。
【００４３】
さらに、上記実施形態では、引手３７の引っ掛け部３７ｂが前方に延びる矩形板状をなしているが、これに限定されず、例えば、引っ掛け部３７ｂが断面Ｌ字状をなし、その先端部が扉３，７側に折り曲げられていてもよい。その場合、引っ掛け部３７ｂに指をより一層掛け易くなる。
【００４４】
さらにまた、例えば、引手３７と扉３，７とをラッピングにより一体化させてもよい。また、例えば、扉３，７が中央の扉５と同じ左右幅を有し、前側の扉３の戸尻側端部及び後側の扉７の戸先側端部に引っ掛け凹部３９を設けてもよい。
【産業上の利用可能性】
【００４５】
以上説明したように、本発明に係る引戸は、有効な開口面積を確保しつつ、引手に掛けた指が引手と隣接する扉とによって挟まれるのを防止する用途に適用することができる。
【符号の説明】
【００４６】
１          引戸
３，５，７  扉
５ｂ        中央の扉の後面（前側の扉の後面）
９          開口
３７        引手
３７ａ      固定部
３７ｂ      引っ掛け部
３９        引っ掛け凹部
４１ｃ      切欠き
【図１】
0006279985.tif 000002
【図２】
0006279985.tif 000003
【図３】
0006279985.tif 000004
【図４】
0006279985.tif 000005
【図５】
0006279985.tif 000006